(57)【要約】      （修正有）【課題】身生地のバック布とフック・アイテープとをミシンによる糸の縫い付けができ強固に固定でき、その後に表裏面布と熱容着で一体的にして、縫着糸が外面に現れることがなく外観優美なフック・アイテープを提供する。【解決手段】内面に熱接着性プラスチックフィルムを貼着した表面布２,１２および裏面布アイ金具４、フック金具１４を取り付けた上下内面布とからなる薄いシート状のフック・アイテープである。フックテープ１とアイテープ１１の一側端の上下内面布を分離させる。その上下内面布の間にバック布８，１８を挟み縫着糸で一体的に縫着すると共に、上下内面布と表裏面布２を加熱圧着する。【選択図】図８
0003109786.tif 000002
【実用新案登録請求の範囲】
【請求項１】
内面に熱接着性プラスチックフィルムを貼着した表面布および裏面布、アイ金具、フック金具を取り付けた上下内面布とからなる薄いシート状のフック・アイテープであって、フックテープとアイテープの一側端の上下内面布を分離させ、その上下内面布の間にバック布を挟み縫着糸で一体的に縫着すると共に、上下内面布と表裏面布を加熱圧着することを特徴とするバック部を有する衣類に取り付けるフック・アイテープ。
【請求項２】
アイ金具およびフック金具は、アイテープおよびフックテープの表面布に設けた横切目からアイ部とフック部が露出している請求項１に記載のフック・アイテープ。
【請求項３】
アイ金具は長さ方向の所定間隔毎に複数列設けてある請求項１または２に記載のフック・アイテープ。
【考案の詳細な説明】
【技術分野】
【０００１】
本考案は、バック布を有する衣類、例えば、ブラジャー、ブラスリップ、ボディスーツ、水着などの身生地のバック布に取り付けられるフック・アイテープに関するものである。
【背景技術】
【０００２】
従来、ブラジャー、ブラスリップ、ボディスーツ、水着などには、通常、着脱のために前部の左右カップ布と連設して側脇部から背面部にかけて延びる身生地のバック布の一端部にアイ金具付きのアイテープを、他端部にフック金具付きのフックテープが縫着されており、フック金具とアイ金具の係脱によって着脱している。
【０００３】
フック・アイテープは、通常、図９、図１０に示すように、基布テープ２２は芯地２３を包被するように上下に折り曲げ、その基布テープ２２の表面には、長さ方向に押え布２４とアイ金具２５を上段、中段、下段に取り付けてあり、上段の押え布２４ａはテープ表面２２に縫着糸２６で縫着され、中段の押え布２４ｂは上段の押え布２４ａに縫着糸２６で縫着され、下段の押え布２４ｃは中段の押え布２４ｂに縫着糸２６で縫着されており、テープの厚みは下段になるほど厚くなるアイテープ２１が知られている。（例えば、特許文献１）
【０００４】
一方、前記のように構成されたアイテープ２１と係止するフックテープ３１は、基布テープ３２が芯地３３を包被するように折り曲げ、一端部にフック部を有するフック金具３４を被覆布３５で被覆してある。
【０００５】
上記のフック・アイテープ２１，３１は複数枚の生地を重合して厚くなっているから、ブラジャーなどの身生地のバック布２７，３７と縫着するのが困難であり、特にアイテープ２１は分厚くなっているため、縫製作業に熟練を要すると共に、折り目付け加工など縫着しやすくするための準備を必要とし、作業に手間がかかり面倒であった。また、複数枚の生地を所定の寸法に裁断する時にロスが多く発生して不経済であった。さらに、テープ自体にゴツゴツ感があって肌当たりが悪く、圧迫感や違和感があると共に、比較的薄いアウターウエアーを着用すると、外部からその部分の盛り上がりが見えて不体裁になる問題点があった。
【０００６】
そのような欠点を解消するものとして、本出願人は先に実用新案登録第３１０４２６１号として、薄いシート状に形成した加熱接着による貼り合わせタイプのフック・アイテープを提案した。このフックアイ・テープは薄いことから、着用時のゴツゴツ感がなく着け心地が良くなると共に、貼り合わせた時のバック布とフック・アイテープとの段差が少ないことから、その部分の盛り上がりも僅かであり外衣に悪影響を与えないと言うことで好評を得ている（例えば、特許文献２）。
【特許文献１】特開２００２−２８００９号公報
【特許文献２】実用新案登録第３１０４２６１号公報
【考案の開示】
【考案が解決しようとする課題】
【０００７】
しかしながら、上記の特許文献２の薄いシート状の貼り合わせタイプのフック・アイテープは、身生地のバック布と一体化するのに縫着することなく、熱接着性プラスチックフィルムの溶着のみで一体的にしてあるから接合力が弱く、特にブラジャーはバストにピッタリと密着させるため、常時引張り力が作用しており、また、繰り返し行われる洗濯時において他物との摩擦力を受け、あるいは長期の使用などによって接合部が剥がれるという問題点があった。
【０００８】
本考案は、上記のような問題点を解決することを課題として研究開発されたもので、身生地のバック布とフック・アイテープとをミシンによる糸の縫い付けができ強固に固定でき、その後に表裏面布と熱溶着で一体的にして、縫着糸が外面に現れることのない外観優美なフック・アイテープを提供することを目的とするものである。
【課題を解決するための手段】
【０００９】
上記の課題を解決し、その目的を達成する手段として、本考案は、内面に熱接着性プラスチックフィルムを貼着した表裏面布と、アイ金具、フック金具を取り付けた上下内面布とからなる薄いシート状のフック・アイテープであって、フックテープとアイテープの一側端の上下内面布を分離させ、その上下内面布の間にバック布を挟み縫着糸で一体的に縫着すると共に、上下内面布と表裏面布を加熱圧着することを特徴とするバック部を有する衣類に取り付けるフック・アイテープを開発し、採用した。
【００１０】
また、上記のフック・アイテープにおいて、アイ金具およびフック金具は、アイテープおよびフックテープの表面布に設けた横切目からアイ部とフック部が露出しているフック・アイテープ、およびアイ金具は長さ方向の所定間隔毎に複数列設けてあるフック・アイテープを開発し、採用した。
【考案の効果】
【００１１】
本考案はフックテープとアイテープの一側端の上下内面布間に身生地のバック布を挟んでミシンによる糸の縫い付けができ強固な固定ができる。その後、上下内面布と表裏面布とを熱接着性フイルムを溶着して一体化するので縫糸が表裏面布で隠されることになり、外面に現れることなくスッキリした優美な外観になる。したがって、バストにピッタリと密着するように大きな引張り力が働くブラジャーなどに使用してもフック・アイテープとバック布との接合において何ら問題がない。また、繰り返し行われる洗濯時の他物との摩擦力などによっても接合部が剥がれるようなことがなく長期に亘って使用できる。また、フック・アイテープは、全長に亘ってかなり薄く仕上げられていることから、バック布に取り付けても段差が僅かに生じるだけで衣類の表面に凹凸が現れなく、薄いアウターウエアーを着用してもその部分の盛り上がりが少なく目立たないと共に、着用した時に肌あたりが良く圧迫感や違和感がなくなる。
【考案を実施するための最良の形態】
【００１２】
以下に、本考案の実施の形態を添付図面に基づいて説明すれば、本考案に係るアイテープ１およびフックテープ１１は、表面布２，１２、上部熱接着性プラスチックフィルム３，１３、アイ金具４，フック金具１４を取り付けた上下内面布５、５，１５，１５、下部熱接着性プラスチックフィルム、裏面布６，１６の順序に配されて積層した厚さが１．０ｍｍ程度の薄いシート状に形成されている。
【００１３】
アイテープ１の表面布２と裏面布６は、ナイロン、ポリエステルなどの合成繊維で編成された所定幅の短い帯状の薄編生地であるが、薄織地でも可能であり、長さ方向の所定間隔を隔てて横切目７，７を幅方向に２個設けてあり、この横切目７，７からアイ金具４，４のアイ部４ａ，４ａが露出するようになっている。
【００１４】
上下部の熱接着性プラスチックフィルム３，３は、表面布２および裏面布６と同一大きさで同一形状の熱可塑性の透明プラスチックフィルムであり、表面布２と裏面布６の内面に貼着されてあり、加熱することにより溶着して内面布５と表面布２および内面布５と裏面布６を一体化する。
【００１５】
アイ金具４は、その取付け環部４ｂが内面布５に縫着して取り付けられてあり、下段のアイ金具４のみ取り付け環部４ｂを覆う上部内面布５ａで被覆され下部内面布５ｂとによって挟み込まれ縫糸で取り付けられている。アイ金具４のアイ部４ａは表面布２の横切目７から露出するようになっている。
【００１６】
内面布５は、上部内面布５ａと下部内面布５ｂが分離して構成されており、前述のように、下部内面布５ｂにアイ金具４の取り付け環部４ｂを縫糸で取り付けるために比較的丈夫な編生地または織生地で形成されている。
【００１７】
一方、フックテープ１１もアイテープ１と同様に、表面布１２、上部熱接着性プラスチックフィルム１３、フック金具１４、上下内面布１５，１５、下部熱接着性プラスチックフィルム１３、裏面布１６の順に配し積層一体化してあるのはアイテープ１と同様である。
【００１８】
このように構成したフック・アイテープの使用状態を作用、効果と共に説明すると、ブラジャー、ブラスリップ、ボディスーツ、水着などバック布を有する衣類に取り付けて用いることができる。
【００１９】
すなわち、図３に示すように、アイテープ１の一側端の上部内面布５ａと下部内面布５ｂを分離してあるから、その上下内面布５ａ，５ｂ間に一方のバック布８の端部を挟み、図４に示すように、長さ方向にミシンによる縫糸９で縫着することにより、上下部内面布５ａ，５ｂとバック布８を強固に固定できる。その後、アイロンなどで表面布２の上面から押圧することにより、図５に示すように、上下部の熱接着性プラスチックフィルム３，３が溶着し表面布２と裏面布６を一体化する。そして、前述の縫糸９が表面布２と裏面布６で隠れることになり、外観が縫糸９の現れないスッキリとした優美な外観になる。一体化した後は大きな引っ張り力によっても、フック・アイテープ１，１１とバック布８，１８との接合は剥離することがない充分な強度性を持つ。また、一体化したフック・アイテープ１，１１は１．０ｍｍ程度の薄い生地であるから、バック布８，１８に取り付けた場合に生じる段差が僅かであり、凹凸部が生じることがなく、全体的に薄く仕上がって着用した時に圧迫感や違和感を生じることがない。
【００２０】
一方、フックテープ１１の使用状態と作用効果については、前述のアイテープ１と同様であることから説明は省略する。なお、前記実施の形態においては、アイ金具４を左右に２個取り付けると共に、長さ方向に３段設けた場合について説明したが、本考案は、これらの実施の形態に限定されるものではなく、１段の場合や２段の場合もあり、考案の目的を達成でき、かつ考案の要旨を逸脱しない範囲内において種々の設計変更が可能であることは当然のことである。
【産業上の利用可能性】
【００２１】
本考案は、ブラジャー、ブラスリップ、ボディスーツ、水着だけに限らず、インナーウエア、アウターウエアーなどのバック布を有する衣類等に取り付けて使用できる。
【図面の簡単な説明】
【００２２】
【図１】アイテープの正面図である。
【図２】アイテープの分解図である。
【図３】アイテープの一側端部の簡略拡大縦断面図である。
【図４】アイテープの一側端部の上下部内面布とバック布を縫着した簡略拡大縦断面図である。
【図５】アイテープの一側端部にバック布を溶着した簡略拡大縦断面図である。
【図６】フックテープの正面図である。
【図７】フックテープの分解図である。
【図８】使用状態を示す正面図である。
【図９】従来のフック・アイテープの正面図である。
【図１０】図８のＡ−Ａ線拡大断面図である。
【符号の説明】
【００２３】
１        アイテープ
２、１２  表面布
３、１３  熱接着性プラスチックフィルム
４        アイ金具
５、１５  内面布
６、１６  裏面布
７、１７  横切目
８、１８  バック布
９、１９  縫着糸
１１      フックテープ  
１４       フック金具 
【図１】
0003109786.tif 000003
【図２】
0003109786.tif 000004
【図３】
0003109786.tif 000005
【図４】
0003109786.tif 000006
【図５】
0003109786.tif 000007
【図６】
0003109786.tif 000008
【図７】
0003109786.tif 000009
【図８】
0003109786.tif 000010
【図９】
0003109786.tif 000011
【図１０】
0003109786.tif 000012